(57)【要約】【課題】  光ディスクに対して記録管理情報の記録に失敗しても、この記録に失敗した記録管理情報を、この光ディスクに再度記録することができる光ディスク装置を提供する。【解決手段】  光ディスク装置１は、本体にセットされている光ディスク１０にデータや記録管理情報を記録する前に、光ディスク１０に記録するデータや記録管理情報をバックエンド部３の一時記録部３５に記録し、そのデータを光ディスク１０に記録すると、一時記録部３５に記録した該当するデータを削除する。したがって、光ディスク１０に対してデータを記録しているときに停電が起きたりしても、このときに光ディスク１０に対して記録していたデータや記録管理情報がバックエンド部３の一時記録部３５に残る。また、光ディスク装置１は、電源投入時にバックエンド部３の一時記録部３５にデータが残っていれば、そのデータを電源投入時に本体にセットされていた光ディスク１０に記録する。【選択図】  図１
2006179090.tif 000002
【特許請求の範囲】
【請求項１】
本体にセットされている光ディスクにデータを記録する記録手段を備えた光ディスク装置において、
前記記録手段が光ディスクにデータを記録するとき、今回光ディスクに記録するデータを一時的に不揮発性の記録媒体に記録し、前記記録手段が光ディスクに対するデータの記録を完了したとき、今回記録を完了したデータを前記不揮発性の記録媒体から削除する記録データ一時記録手段と、
本体に対して電源がオンされたとき、本体に光ディスクがセットされており、且つ前記記録データ一時記録手段にデータが削除されずに残っていれば、前記記録手段に対してこの記録データ一時記録手段に削除されずに残っているデータの記録を指示するリペア手段と、を備え、
前記記録データ一時記録手段は、光ディスクに記録するデータに対応づけて、該データを記録する光ディスクを識別する識別情報を記録する手段であり、
前記リペア手段は、本体に対して電源がオンされたとき、本体にセットされている光ディスクに対応する識別情報が対応づけられたデータが前記記録データ一時記録手段に削除されずに残っていれば、前記記録手段に対してこの記録データ一時記録手段に削除されずに残っているデータの記録を指示する手段であり、
さらに、前記記録手段は、記録データ一時記録手段に対して、光ディスクに対するデータの記録を開始する直前に、今回記録するデータを前記記録データ一時記録手段に転送し前記不揮発性の記録媒体に記録させる手段である光ディスク装置。
【請求項２】
本体にセットされている光ディスクにデータを記録する記録手段を備えた光ディスク装置において、
前記記録手段が光ディスクにデータを記録するとき、今回光ディスクに記録するデータを一時的に不揮発性の記録媒体に記録し、前記記録手段が光ディスクに対するデータの記録を完了したとき、今回記録を完了したデータを前記不揮発性の記録媒体から削除する記録データ一時記録手段と、
本体に対して電源がオンされたとき、本体に光ディスクがセットされており、且つ前記記録データ一時記録手段にデータが削除されずに残っていれば、前記記録手段に対してこの記録データ一時記録手段に削除されずに残っているデータの記録を指示するリペア手段と、を備えた光ディスク装置。
【請求項３】
前記記録データ一時記録手段は、光ディスクに記録するデータに対応づけて、該データを記録する光ディスクを識別する識別情報を記録する手段であり、
前記リペア手段は、本体に対して電源がオンされたとき、本体にセットされている光ディスクに対応する識別情報が対応づけられたデータが前記記録データ一時記録手段に削除されずに残っていれば、前記記録手段に対してこの記録データ一時記録手段に削除されずに残っているデータの記録を指示する手段である請求項２に記載の光ディスク装置。
【請求項４】
前記記録手段は、記録データ一時記録手段に対して、光ディスクに対するデータの記録を開始する直前に、今回記録するデータを前記記録データ一時記録手段に転送し前記不揮発性の記録媒体に記録させる手段である請求項２または３に記載の光ディスク装置。
【発明の詳細な説明】
【技術分野】
【０００１】
この発明は、ＣＤやＤＶＤ等の光ディスクにデータを記録する光ディスク装置に関する。
【背景技術】
【０００２】
従来、ＣＤやＤＶＤ等の光ディスクにデータを記録することができる光ディスク装置が実用化され、一般に普及している。データを記録することができる光ディスクには、追記型（ＣＤ−ＲやＤＶＤ−Ｒ等）のものと書換型（ＣＤ−ＲＷやＤＶＤ−ＲＷ等）のものとがある。以下、追記型、および書換型の光ディスクを記録型光ディスクと言う。
【０００３】
記録型光ディスクには、その光ディスクに記録したデータの記録管理情報（ＲＭＤ）を記録する領域（記録管理領域（ＲＭＡ））が設けられている。この記録管理情報は、光ディスクのデータ領域に記録されている各データについて記録開始位置のアドレスや、記録終了位置のアドレス等を示す管理情報である。この記録管理情報は、光ディスクに対してデータが記録されるとき等、この光ディスクに記録されているデータが更新されるときに、一緒に更新される情報である。
【０００４】
ところで、光ディスクへの記録管理情報の記録に失敗すると、この記録に失敗した記録管理情報に対応するデータについては、記録管理情報が存在しないことになる。記録管理情報が存在しないデータは、そのデータの記録開始位置のアドレスや、記録終了位置のアドレスを装置側で認識することができず、その結果、無効なデータとして取り扱うことになり、再生することができない。言い換えれば、光ディスクに対する記録管理情報の記録に失敗すると、ユーザはこの光ディスクに記録したデータを視聴することができない。また、光ディスク装置は、光ディスクをファイナライズするときに、その光ディスクに記録されている記録管理情報に基づいて、リードイン領域やリードアウト領域に記録するデータを生成するため、記録管理情報の記録に失敗している光ディスク装置はファイナライズにも失敗する。
【０００５】
このような事態が起きるのを防止するために、例えば特許文献１では光ディスクのドライブ装置とは別に、光ディスク毎に記録管理情報を記録しておき、光ディスクがセットされたときに、その光ディスクの記録管理領域に記録されている記録管理情報を読み出し、該当する光ディスクについて別に記録している記録管理情報との一致を判定し、一致していなければ、この光ディスクが記録管理情報の記録に失敗していると判断し、別に記録している記録管理情報を光ディスクに対して記録する構成の光ディスク装置が提案されている。また、特許文献２では光ディスクに記録管理情報の記録が完了したときに、今回の記録管理情報の記録が適正に完了したかどうかを判定し、適正に完了していなければ、本体にセットされている光ディスクに対して再度記録管理情報の記録を行う構成の光ディスク装置が提案されている。
【特許文献１】特開２００２−３１２９４０号公報
【特許文献２】特開２００２−３５２５２２号公報
【発明の開示】
【発明が解決しようとする課題】
【０００６】
しかしながら、特許文献１で提案されている構成では、光ディスクのドライブ装置とは別の装置が、光ディスク毎に記録管理情報を記録しつづけることになり、その記録容量が増大するばかりでなく、記録管理情報の増加にともなって本体にセットされた光ディスクについての記録管理情報の一致の判定に要する時間が長くかかる。特に、光ディスクのドライブ装置とは別の装置における記録管理情報の検索等に要する時間が長くかかる。その結果、ユーザの使い勝手を低下させるという問題があった。
【０００７】
また、特許文献２で提案されている構成では、光ディスクに記録管理情報を記録しているときに、停電が起きたり、ユーザが光ディスク装置の電源コードを足等に引っ掛けて抜いてしまうと、その時点で光ディスクに対する記録管理情報の記録動作が終了してしまう。したがって、このとき光ディスクに対して記録に失敗した記録管理情報を、この光ディスクに再度記録することができない。
【０００８】
この発明の目的は、光ディスクに記録管理情報等のデータを記録しているときに、停電が起きたり、ユーザが光ディスク装置の電源コードを足等に引っ掛けて抜いてしまっても、このとき光ディスクに対して記録に失敗した記録管理情報等のデータを、この光ディスクに再度記録することができ、またユーザの使い勝手も低下させることもない光ディスク装置を提供することにある。
【課題を解決するための手段】
【０００９】
この発明の光ディスク装置は、上記課題を解決するために以下の構成を備えている。
【００１０】
（１）本体にセットされている光ディスクにデータを記録する記録手段を備えた光ディスク装置において、
前記記録手段が光ディスクにデータを記録するとき、今回光ディスクに記録するデータを一時的に不揮発性の記録媒体に記録し、前記記録手段が光ディスクに対するデータの記録を完了したとき、今回記録を完了したデータを前記不揮発性の記録媒体から削除する記録データ一時記録手段と、
本体に対して電源がオンされたとき、本体に光ディスクがセットされており、且つ前記記録データ一時記録手段にデータが削除されずに残っていれば、前記記録手段に対してこの記録データ一時記録手段に削除されずに残っているデータの記録を指示するリペア手段と、を備えている。
【００１１】
この構成では、記録手段が本体にセットされている光ディスクに記録管理情報や、映像データ、音声データ等のデータを記録するとき、記録データ一時記録手段において光ディスクに記録するデータが一時記録される。また、記録データ一時記録手段は、光ディスクに対するデータの記録が完了すると、一時記録している光ディスクに記録したデータを削除する。したがって、光ディスクに対して適正にデータが記録されたときには、今回記録されたデータが記録データ一時記録手段に残らない。これにより、記録データ一時記録手段の記録容量を十分に抑えることができる。
【００１２】
一方、光ディスクに対するデータの記録に失敗した場合には、今回記録に失敗したデータが記録データ一時記録手段に残る。リペア手段が、光ディスクがオンされたとき、光ディスクに記録するデータが記録データ一時記録手段に残っていれば、このデータの記録中に停電が起きたり、ユーザが光ディスク装置の電源コードを足等に引っ掛けて抜いてしまったこと等が原因で、記録データ一時記録手段に記録しているデータについて、光ディスクへの記録に失敗していると判断し、記録手段に対して記録データ一時記録手段に記録しているデータを光ディスクに記録するリペア処理を指示する。電源がオンされたときに、装置本体にセットされている光ディスクは最後に使用していた光ディスクであることから、多くの場合、記録データ一時記録手段に削除されずに残っているデータは電源オン時に本体にセットされている光ディスクに対して記録に失敗したデータである。これにより、光ディスクへのデータの記録に失敗しても、この記録に失敗したデータを確実に光ディスクに記録することができる。
【００１３】
したがって、光ディスクに記録管理情報や映像データ等を記録しているときに、停電が起きたり、ユーザが光ディスク装置の電源コードを足等に引っ掛けて抜いてしまっても、このときに光ディスクに対して記録に失敗した記録管理情報や映像データ等が、次回の電源オン時にこの光ディスクに記録される。これにより、ユーザはこの光ディスクに記録したデータを視聴することができないという事態が生じることがなく、また光ディスクへのデータの記録が完了した時点で記録データ一時記録手段に記録しているデータを削除するので、ユーザの使い勝手も低下させることもない。
【００１４】
（２）前記記録データ一時記録手段は、光ディスクに記録するデータに対応づけて、該データを記録する光ディスクを識別する識別情報を記録する手段であり、
前記リペア手段は、本体に対して電源がオンされたとき、本体にセットされている光ディスクに対応する識別情報が対応づけられたデータが前記記録データ一時記録手段に削除されずに残っていれば、前記記録手段に対してこの記録データ一時記録手段に削除されずに残っているデータの記録を指示する手段である。
【００１５】
この構成では、特異な操作が行われて、電源がオンされたときに、本体にセットされている光ディスクが記録データ一時記録手段に削除されずに残っているデータの記録に失敗した光ディスクでない場合であれば、リペア手段が記録手段に対して記録データ一時記録手段に記録しているデータの記録を指示しない。したがって、他の光ディスクに対して記録に失敗したデータを、電源音時に本体にセットされている光ディスクに誤って記録するという事態が起きるのを確実に防止できる。
【００１６】
（３）前記記録手段は、記録データ一時記録手段に対して、光ディスクに対するデータの記録を開始する直前に、今回記録するデータを前記記録データ一時記録手段に転送し前記不揮発性の記録媒体に記録させる手段である。
【００１７】
この構成では、記録手段が、記録データ一時記録手段に対して、これから光ディスクに記録するデータを転送するので、光ディスクに記録するデータを確実に記録データ一時記録手段に記録することができ、光ディスクに対するデータの記録に失敗したときのリペア処理が適正に行える。
【発明の効果】
【００１８】
この発明によれば、光ディスクに記録管理情報や映像データ等を記録しているときに、停電が起きたり、ユーザが光ディスク装置の電源コードを足等に引っ掛けて抜いてしまっても、このときに光ディスクに対して記録に失敗した記録管理情報や映像データ等が、次回の電源オン時にこの光ディスクに記録される。これにより、ユーザはこの光ディスクに記録したデータを視聴することができないという事態が生じることがなく、また光ディスクへのデータの記録が完了した時点で記録データ一時記録手段に記録しているデータを削除するので、ユーザの使い勝手も低下させることもない。
【発明を実施するための最良の形態】
【００１９】
以下、この発明の実施形態である光ディスク装置について説明する。
【００２０】
図１は、この発明の実施形態である光ディスク装置の主要部の構成を示すブロック図である。この実施形態の光ディスク装置１は、光ディスク１０に対してデータの記録や、記録されているデータの読取を行うフロントエンド部２と、外部から光ディスク１０に記録するデータを受け付けるバックエンド部３とを備えている。フロントエンド部２は、制御部２１と、光ディスク１０に対するデータの記録や読取を行う記録／読取部２２と、バックエンド部３との通信を制御する通信部２３と、を備えている。また、バックエンド部３は、制御部３１と、光ディスク５に記録する映像や音声等にかかる信号の入力を受け付けるとともに、フロントエンド部２が光ディスク５から読み取った映像データや音声データ等に基づく再生信号を出力する入出力部３２と、装置本体に対する入力操作を受け付ける操作部３３と、フロントエンド部２との通信を制御する通信部３４と、フロントエンド部２が光ディスク１０に記録しているデータを一時的に記録する一時記録部３５と、を備えている。
【００２１】
フロントエンド部２の記録／読取部２２には、光ディスク１０にレーザ光を照射し、その反射光を検出する周知のピックアップヘッド（不図示）、光ディスク１０に対して照射しているレーザ光の集光位置を光ディスク１０の記録面に一致させるフォーカスサーボ制御や、レーザ光の集光位置をトラックの中心に一致させるトラッキングサーボ制御を行うサーボ制御部（不図示）、さらには光ディスク１０からの読取信号であるＲＦ信号を処理する再生部（不図示）が設けられている。サーボ制御部には、レーザ光の集光位置と光ディスク１０の記録面とのズレ量を示すフォーカスエラー信号（ＦＥ信号）や、レーザ光の集光位置とトラックの中心とのズレ量を示すトラッキングエラー信号（ＴＥ信号）が入力されている。サーボ制御部は、ＦＥ信号に基づいてピックアップヘッドに設けられている対物レンズを光ディスク１０の記録面に対して接離する方向に移動し、またＴＥ信号に基づいてピックアップヘッドに設けられている対物レンズを光ディスク１０の半径方向に移動する。また、通信部２３は、バックエンド部３との間で、光ディスク１０に記録するデータ、光ディスク１０から読み取ったデータ、バックエンド部３に対する動作指示の制御コマンド、バックエンド部３からの動作指示にかかる制御コマンド等の受け渡しを行う。
【００２２】
バックエンド部３の入出力部３２の入力端子には、例えばテレビ放送信号を受信しているアンテナが接続されており、テレビ放送されている番組が入力される。また、他の光ディスク装置を接続した場合には、この他の光ディスク装置で再生されている映像や音声が入力される。また、入出力部３２の出力端子には、テレビ受像機等の表示部を有する装置が接続される。フロントエンド部２で再生している光ディスク１０に記録されている映像や音声は、入出力部３２の出力端子から出力され、この出力端子に接続されている装置で映像の表示や音声の出力が行われる。操作部３３には、装置本体に設けられた複数の操作キーに加えて、図示していないリモコン装置から赤外線や電波で無線送信されてきた本体に対する制御コマンドを受信するリモコン受信部を有している。また、操作部３３には、本体の動作状態を表示する表示部等も設けられている。通信部３４は、フロントエンド部２との間で、光ディスク１０に記録するデータ、光ディスク１０から読み取ったデータ、フロントエンド部２に対する動作指示の制御コマンド、フロントエンド部２からの動作指示にかかる制御コマンド等の受け渡しを行う。一時記録部３５は、不揮発性のメモリで構成されており、光ディスク装置１本体の電源がオフされても、一時記録部３５に記録しているデータが消失することはない。また、ここでは一時記録部３５を不揮発性のメモリで構成した場合を例にして以下説明するが、ハードディスク等の他の種類の不揮発性の記録媒体で構成してもよい。
【００２３】
次に、この発明の実施形態である光ディスク装置１の動作について説明する。図２は、この発明の実施形態である光ディスク装置のフロントエンド部における記録動作を示すフローチャートであり、図３はこの発明の実施形態である光ディスク装置のバックエンド部における記録動作を示すフローチャートである。光ディスク装置１は、操作部３３において記録開始にかかる入力操作が行われると、この処理を開始する。光ディスク１０に記録するデータ（映像や音声）は、入出力部３２の入力端子を介して入力される。バックエンド部３２は、操作部３３において記録終了にかかる入力操作が行われるまで、入出力部３２に入力されている映像や音声にかかるデータを通信部３４を介してフロントエンド部２の通信部２３に送信する（ｓ１、ｓ２）。
【００２４】
バックエンド部３は、入出力部３２の入力端子を介して入力されているデータがアナログデータであればＡＤ変換を行い、ディジタルデータでフロントエンド部２に送信する。フロントエンド部２は、バックエンド部３から送信されてきた光ディスク１０に記録するデータがある程度溜まると、所定の圧縮形式、例えばＭＰＥＧ、で圧縮する（ｓ１１、ｓ１２）。フロントエンド部２は、ｓ１２で圧縮したデータとともに、一時記録部３５に一時記録することを要求するコマンドを通信部２３を介してバックエンド部３の通信部３４に送信する（ｓ１３）。バックエンド部２は、フロントエンド部２から一時記録部３５にデータを一時記録することが要求されると（ｓ３）、この要求とともにフロントエンド部２から送信されてきたデータを一時記録部３５に記録する（ｓ４）。
【００２５】
フロントエンド部２は、ｓ１３にかかる処理を完了すると、ｓ１２で圧縮したデータを光ディスク１０に記録する記録処理を行う（ｓ１４）。ｓ１４にかかる記録処理は、記録／読取部２２のピックアップヘッドが光ディスク１０にレーザ光を照射し、ｓ１２で圧縮したデータを記録する処理である。フロントエンド部２は、ｓ１２で圧縮したデータの記録が完了すると、ｓ１３で前回一時記録部３５に記録することを要求したデータの削除を要求し（ｓ１５）、ｓ１１に戻る。このように、フロントエンド部２が光ディスク１０にデータを記録している間、その記録しているデータはバックエンド部３の一時記録部３５に記録されている。バックエンド部３は、フロントエンド部２から一時記録部３５に記録しているデータの削除要求を受信すると、今回削除が要求されたデータを一時記録部３５から削除する（ｓ５、ｓ６）。
【００２６】
このように、バックエンド部３の一時記録部３５には、本体にセットされている光ディスク１０に記録するデータが光ディスク１０に記録する直前に記録され、光ディスク１０への記録が完了した時点で速やかに削除される。
【００２７】
バックエンド部３は、操作部３３において記録終了にかかる入力操作が行われると、入力されている映像や音声にかかるデータのフロントエンド部２への送信を停止する（ｓ７）。このとき、バックエンド部３は、フロントエンド部２に対して記録終了を通知する。フロントエンド部２は、バックエンド部３から記録終了が通知されると、すでにバックエンド部３から送信されてきているデータを全て光ディスク１０に記録したかどうかを判定し（ｓ１６）、記録していなければ未記録のデータを圧縮し（ｓ１７）、この圧縮したデータとともに、一時記録部３５に一時記録することを要求するコマンドを通信部２３を介してバックエンド部３の通信部３４に送信する（ｓ１８）。また、フロントエンド部２は、ｓ１７で圧縮したデータを光ディスク１０に記録する（ｓ１９）。バックエンド部３は、ｓ１８でフロントエンド部２から送信されてきた要求に応じて、ｓ４でこの要求とともにフロントエンド部２から送信されてきたデータを一時記録部３５に記録する。
【００２８】
フロントエンド部２は、バックエンド部３から送られてきたデータを全て光ディスク１０に記録すると、ｓ１８で一時記録部３５に記録することを要求したデータの削除を要求し（ｓ２０）、光ディスク１０に対する今回のデータの記録にともなう記録管理情報を生成する（ｓ２１）。フロントエンド部２は、記録管理情報を生成すると、ここで生成した記録管理情報を、一時記録部３５に一時記録することを要求するコマンドとともに通信部２３を介してバックエンド部３の通信部３４に送信する（ｓ２２）。バックエンド部３は、ｓ２２でフロントエンド部２から送信されてきた要求に応じて、ｓ４でこの要求とともにフロントエンド部２から送信されてきたデータ（記録管理情報）一時記録部３５に記録する。
【００２９】
フロントエンド部２は、ｓ２２にかかる処理を完了すると、ｓ２１で生成した記録管理情報を光ディスク１０に記録する（ｓ２３）。フロントエンド部２は、この記録管理情報の記録が完了すると、ｓ２２で一時記録部３５に記録することを要求した記録管理情報の削除を要求し（ｓ２４）、本処理を終了する。また、バックエンド部３は、ｓ６で今回削除が要求された記録管理情報を一時記録部３５から削除し、本処理を終了する。
【００３０】
このように、この実施形態の光ディスク装置１は、本体にセットされている光ディスク１０にデータや記録管理情報を記録する前に、光ディスク１０に記録するデータや記録管理情報をバックエンド部３の一時記録部３５に記録し、そのデータを光ディスク１０に記録すると、一時記録部３５に記録した該当するデータを削除する。したがって、光ディスク１０に対してデータを記録しているときに、停電が起きたり、ユーザが光ディスク装置１の電源コードを足等に引っ掛けて抜いてしまっても、このときに光ディスク１０に対して記録していたデータや記録管理情報、言い換えれば今回記録に失敗したデータや記録管理情報等が、バックエンド部３の一時記録部３５に残る。一方、光ディスク１０に対して記録したデータについては、速やかに一時記録部３５から削除されるので、一時記録部３５に不要なデータがいつまでも残ることもない。
【００３１】
次に、この光ディスク装置１における電源投入時の動作について説明する。図４は、この発明の実施形態である光ディスク装置のフロントエンド部における電源投入時の動作を示すフローチャートであり、図５はこの発明の実施形態である光ディスク装置のバックエンド部における電源投入時の動作を示すフローチャートである。フロントエンド部２、およびバックエンド部３は、光ディスク装置１本体の電源がオンされると、図４、および図５に示す処理を実行する。まず、フロントエンド部２は、本体に光ディスク１０がセットされているかどうかを判定する（ｓ３１）。フロントエンド部２は、ｓ３１で光ディスク１０がセットされていないと判定すると、通信部２３において本体に光ディスク１０がセットされていないことをバックエンド部３に送信し（ｓ３２）、この電源投入時にかかる動作を終了する。一方、ｓ３１で本体に光ディスク１０がセットされていると判定すると、通信部２３において本体に光ディスク１０がセットされていることをバックエンド部３に送信する（ｓ３３）。この時点では、この電源投入時にかかる動作を終了しない。
【００３２】
バックエンド部２は、フロントエンド部２から光ディスク１０がセットされていない旨の通知を受信すると（ｓ４１）、この電源投入時にかかる動作を終了する。一方、フロントエンド部２から光ディスク１０がセットされている旨の通知を受信すると、一時記録部３５にデータ、または管理情報を記録しているかどうかを判定する（ｓ４２）。ｓ４２で一時記録部４２にデータ、または管理情報を記憶していないと判定すると、フロントエンド部２に対してこの電源投入時にかかる動作完了を通知し（ｓ４３）、この電源投入時にかかる動作を終了する。フロントエンド部２は、バックエンド部３から電源投入時にかかる動作完了の通知を受信すると（ｓ３４）、この電源投入時にかかる動作を終了する。
【００３３】
また、バックエンド部３は、ｓ４２で一時記録部４２にデータ、または管理情報を記憶していると判定すると、フロントエンド部２に対して一時記録部３５に記録しているデータ、または管理情報の記録を指示する（ｓ４４）。ここで、上述した記録動作において、データや管理情報の記録時に停電が起きたり、ユーザが電源コードを足に引っ掛けて抜いてしまったとき等、電源がオンされるまで装置本体から光ディスク１０が取り出されることはない。したがって、バックエンド部３の一時記録部３５に記録されているデータや管理情報は、略確実に電源オン時に本体にセットされていた光ディスク１０に対して記録に失敗したものである。このことから、ｓ４４で一時記録部３５に記録しているデータを、電源オン時に本体にセットされていた光ディスク１０に記録することを指示しても特に問題は生じない。
【００３４】
フロントエンド部２は、バックエンド部３から一時記録部３５に記録しているデータ、または管理情報の記録が指示されると（ｓ３５）、今回指示されたデータ、または管理情報を光ディスク１０に記録する（ｓ３６）。フロントエンド２は、今回記録することが指示されたデータ、または管理情報の記録が完了すると、その旨をバックエンド部３に通知し（ｓ３７）、この電源投入時にかかる動作を終了する。バックエンド部３は、フロントエンド部２からｓ４４で指示したデータ、または管理情報の記録の完了通知を受信すると（ｓ４５）、今回フロントエンド部２に対して光ディスク１０に記録するように指示したデータを一時記録部３５から削除し（ｓ４６）、この電源投入時にかかる動作を終了する。
【００３５】
なお、この電源投入時にかかる動作の終了後は、上述した記録処理や、説明を省略した再生処理等が行われる。
【００３６】
このように、この実施形態の光ディスク装置１は、電源投入時にバックエンド部３の一時記録部３５にデータが残っていれば、そのデータを電源投入時に本体にセットされていた光ディスク１０に記録するので、光ディスク１０に対してデータを記録しているときに、停電が起きたり、ユーザが光ディスク装置１の電源コードを足等に引っ掛けて抜いてしまっても、このときに光ディスク１０に対して記録していたデータ、または記録管理情報については、次回の電源投入時に光ディスク１０に記録することができる。これにより、光ディスク１０へのデータや記録管理情報の記録の失敗にともなう損失が抑えられる。
【００３７】
また、光ディスク１０には、そのディスクを識別する識別情報が記録されているので、一時記録部３５に記録するデータに、光ディスク１０の識別情報を対応づけて記録するようにしてもよい。この場合には、電源投入時に本体にセットされている光ディスク１０の識別コードに対応づけられているデータ、または管理情報を一時記録部３５に記録していれば、このデータを光ディスク１０に記録するように指示する構成とすればよい。
【図面の簡単な説明】
【００３８】
【図１】この発明の実施形態である光ディスク装置の主要部の構成を示すブロック図である。
【図２】この発明の実施形態である光ディスク装置のフロントエンド部における記録動作を示すフローチャートである。
【図３】この発明の実施形態である光ディスク装置のバックエンド部における記録動作を示すフローチャートである。
【図４】この発明の実施形態である光ディスク装置のフロントエンド部における電源投入時の動作を示すフローチャートである。
【図５】この発明の実施形態である光ディスク装置のバックエンド部における電源投入時の動作を示すフローチャートである。
【符号の説明】
【００３９】
１−光ディスク装置
２−フロントエンド
３−バックエンド
１０−光ディスク
２１−制御部
２２−記録／読取部
２３−通信部
３１−制御部
３２−入出力部
３３−操作部
３４−通信部
３５−一時記録部
【図１】
2006179090.tif 000003
【図２】
2006179090.tif 000004
【図３】
2006179090.tif 000005
【図４】
2006179090.tif 000006
【図５】
2006179090.tif 000007